(57)【要約】      （修正有）【課題】ネジや工具も、また、操作も不要で、モニタをモニタ支持台にワンタッチで取り付けることができ、取り外しの操作も極めて容易にできるモニタの着脱機構を提供する。【解決手段】モニタとモニタ支持台の、いずれか一方に固設した取付けプレート４と、他方に固設した係止プレート５において、取付けプレートの上部係止孔８を係止プレートの係止爪１０に係合して取付けプレートを係止プレートに支持させ回動させて、取付けプレートと係止プレートが重ね合うと、ロック部材１１と取付けプレートの下部係止孔９の位置が合致するため、ロック部材はばね１２の付勢力（弾発力）で進出し下部係止孔に進入し、取付けプレートを係止プレートにロックする。【選択図】図８
2008189227.tif 000002
【特許請求の範囲】
【請求項１】
モニタとモニタ支持台の、いずれか一方に固設した取付けプレートと、他方に固設した係止プレートにおいて、取付けプレートを係止プレートに着脱自在とすることによってモニタをモニタ支持台に着脱自在に取付けるモニタの着脱機構であって、
取付けプレートは、プレート面より立設する突片が上部および下部に略平行して横方向に設けられ、この上下部の突片の上部突片には上部係止孔が、下部突片には下部係止孔が設けられて構成され、
係止プレートは、上端の前記取付けプレートの上部係止孔に対応する位置に係止爪が上方に突出され、また、係止プレートの下部には、取付けプレートの上部係止孔を係止プレートの該係止爪に係合して支持させ回動させて取付けプレートと係止プレートが重ね合った時、取付けプレートの下部係止孔にばねの弾発力で進入して係止するロック部材が進退自在に設けられていることを特徴とするモニタの着脱機構。
【請求項２】
前記ロック部材には、該ロック部材を進退させて取付けプレートの下部係止孔に出入させ、取付けプレートを係止プレートにロックおよびその解除を行うロック・解除機構が設けられていることを特徴とする請求項１記載のモニタの着脱機構。
【請求項３】
前記ロック・解除機構は、係止プレートにロック部材がばねにロック方向に付勢されて進退自在に設けられ、このロック部材にはスライド部材が連結され、このスライド部材の正方向のスライドでロック部材を取付けプレートの下部係止孔に進入してロックし、逆方向のスライドでロック部材を取付けプレートの下部係止孔から退出してロック解除をすることを特徴とする請求項２記載のモニタの着脱機構。
【請求項４】
前記スライド部材には、スライド部材をロック部材がロック状態となる方向に付勢するばねと、ロック解除位置でスライド部材を係止し、モニタをモニタ支持台から取り外すと係止が解除されるストッパ機構とが設けられていることを特徴とする請求項３記載のモニタの着脱機構。
【発明の詳細な説明】
【技術分野】
【０００１】
この発明は、モニタ、例えば、液晶モニタをモニタ支持台に取り付けるための着脱機構に関し、特に、モニタをモニタ支持台にワンタッチにて取付け、取り外しができるモニタの着脱機構に関する。
【背景技術】
【０００２】
従来、モニタはモニタ支持台にネジ止めして取り付けられている。このネジ止めは、モニタの筺体背面とモニタ支持台との間において行われている。
また、モニタの筺体の背面に、スリット穴を有する取付板が設けられており、この取付板にモニタ支持台のフックプレートを挿入し、ネジ軸に螺合し回転することによって進退する回転つまみを、回転させてフックプレートで取付板を挟持させ、モニタをモニタ支持台に取り付ける取付け装置も提案されている（例えば、特許文献１参照）。
【特許文献１】特開平８−３１２８８５号公報
【発明の開示】
【発明が解決しようとする課題】
【０００３】
従来のモニタをモニタ支持台にネジ止めして取り付ける方法は、ネジ止めして固定するため取付けおよび取り外しのための作業に時間がかかるし、取り付けられている姿勢のままでは、取付け、取り外しが困難であり、モニタおよびモニタ支持台を横に寝かせて作業をする必要があり、煩わしく、作業性が悪い課題がある。また、ネジ止めであるので取付け用ネジが必要であり、落として紛失してしまうおそれがある、。さらに、ドライバー等の取付け工具が必要で、その工具を手配又は探し出すための余分な手数が必要である。
【０００４】
また、取付板にモニタ支持台のフックプレートを挿入し、回転つまみを回転させてフックプレートで取付板を挟持させて取り付ける装置は、前記ネジ止めして取り付ける課題は解決されるが、これも回転つまみの操作が必要であると共に、回転つまみがモニタの筺体背面とモニタ支持台の間に位置するため、操作がしにくい課題があると共に、フックプレートをスリット穴を有する取付板に挿入して係止するだけであるし、フックプレートは、螺軸の先端に設けられているため、モニタは、フックプレートおよび螺軸で支持することになり、自動車等の液晶モニタのような小型で重量も軽いものは信頼できるが、会社や自宅で使用するモニタのように大型で重量の重いものは、支持の信頼性に欠ける課題がある。
【０００５】
この発明は、このような課題を解決せんと提案されたものであり、その目的は、ネジや工具も、また、操作も不要で、モニタをモニタ支持台にワンタッチで取り付けることができ、取り外しの操作も極めて容易にできるモニタの着脱機構の提供にある。
【課題を解決するための手段】
【０００６】
前記課題を解決するため、この発明のモニタ着脱機構は、モニタとモニタ支持台の、いずれか一方に固設した取付けプレートと、他方に固設した係止プレートにおいて、取付けプレートを係止プレートに着脱自在とすることによってモニタをモニタ支持台に着脱自在に取付けるモニタの着脱機構であって、
取付けプレートは、プレート面より立設する突片が上部および下部に略平行して横方向に設けられ、この上下部の突片の上部突片には上部係止孔が、下部突片には下部係止孔が設けられて構成され、
係止プレートは、上端の前記取付けプレートの上部係止孔に対応する位置に係止爪が上方に突出され、また、係止プレートの下部には、取付けプレートの上部係止孔を係止プレートの該係止爪に係合して支持させ回動させて取付けプレートと係止プレートが重ね合った時、取付けプレートの下部係止孔にばねの弾発力で進入して係止するロック部材が進退自在に設けられていることを特徴とする。
【０００７】
これにより取付けプレートの上部係止孔を係止プレートの係止爪に係合して取付けプレートを係止プレートに支持させ回動させて、取付けプレートと係止プレートが重ね合うと、ロック部材と取付けプレートの下部係止孔の位置が合致するため、ロック部材はばねの付勢力（弾発力）で進出し下部係止孔に進入し、取付けプレートを係止プレートにロックする。従って、モニタはモニタ支持台にワンタッチで取り付けることができ、取り外す時は、ロック部材をばねの付勢力に抗して移動させロック解除を行うことができる。
【０００８】
また、この発明のモニタ着脱機構の前記ロック部材には、該ロック部材を進退させて取付けプレートの下部係止孔に出入させ、取付けプレートを係止プレートにロックおよびその解除を行うロック・解除機構が設けられていることを特徴とする。
これにより取付けプレートの係止プレートのロック部材でのロックおよびロック解除は、ロック・解除機構の操作において行うことができる。
【０００９】
また、この発明のモニタ着脱機構の前記ロック・解除機構は、係止プレートにロック部材がばねにロック方向に付勢されて進退自在に設けられ、このロック部材にはスライド部材が連結され、このスライド部材の正方向のスライドで取付けプレートの下部係止孔に進入してロックし、逆方向のスライドで取付けプレートの下部係止孔から退出してロック解除をすることを特徴とする。
これによりスライド部材の正逆方向のスライドで取付けプレートの係止プレートとの間におけるロック部材１１でのロックおよびそのロック解除を行うことができる。
【００１０】
さらに、この発明のモニタ着脱機構の前記スライド部材には、スライド部材をロック部材がロック状態となる方向に付勢するばねと、ロック解除位置でスライド部材を係止し、モニタをモニタ支持台から取り外すと係止が解除されるストッパ機構とが設けられていることを特徴とする。
これによりモニタをモニタ支持台から取り外すとスライド部材を係止していたストッパ部材との係止が外れ、スライド部材はばねの付勢力（弾発力）でロック部材がロック状態となる位置に戻される。従って、次にモニタをモニタ支持台に取り付ける時は、スライド部材でのロック操作をすることなく、ロックされて取り付けられるので、常にワンタッチで取り付けられることとなる。スライド部材は、ロック解除の時のみ操作すればよいことになる。
【発明の効果】
【００１１】
この発明のモニタ着脱機構によれば、次のような効果を奏する。
（１）モニタとモニタ支持台の、いずれか一方に固設した取付けプレートと、他方に固設した係止プレートとにおいて、取付けプレートの上部係止孔を係止プレートの係止爪に係合して取付けプレートを係止プレートに支持させ回動させて、取付けプレートと係止プレートが重ね合うと、ロック部材と取付けプレートの下部係止孔の位置が合致するため、ロック部材はばねの付勢力（弾発力）で進出し下部係止孔に進入し、取付けプレートを係止プレートにロックする。従って、モニタはモニタ支持台にワンタッチで取り付けることができ、取り外す時は、ロック部材をばねの付勢力に抗して移動させロック解除を行うことができる。このようにこの発明のモニタの着脱機構によれば、モニタをモニタ支持台に容易に取り付けることができるし、モニタを支持台から容易に取り外すことができる。
【００１２】
（２）取付けプレートと係止プレートとのロックおよびロック解除、即ち、モニタとモニタ支持台とのロックおよびロック解除は、スライド部材のスライド操作だけなので、操作が容易となり、着脱を容易に行うことができる。
【００１３】
（３）スライド部材は、モニタをモニタ支持台より取り外すと、ストッパ部材からの係止が外れ、ばねの付勢力（弾発力）でロック部材がロック状態となる位置に戻されるので、次にモニタをモニタ支持台に取り付ける時は、スライド部材でのロック操作をすることなく、モニタをモニタ支持台に取り付けると、ロックされて取り付けられる。従って、常にワンタッチで取り付けることができる。スライド部材は、ロック解除の時のみ操作すればよい。
【発明を実施するための最良の形態】
【００１４】
以下、この発明の実施の形態を図面と共に詳細に説明する。図１は、この発明の実施の形態を示す全体斜視図、図２は、この発明の実施の形態を示すモニタをモニタ支持台より取り外した状態の斜視図、図３は、この発明の実施の形態を示す着脱機構部分の分解斜視図、図４は、この発明の実施の形態を示す着脱機構部分のロック時の斜視図、図５は、図４Ａ−Ａ線断面図、図６は、この発明の実施の形態を示す着脱機構部分のロック解除時の斜視図、図７は、図６Ｂ−Ｂ線断面図、図８は、この発明の実施の形態を示す着脱機構の作用を作用順（ａ）（ｂ）（ｃ）に示す説明平面図、図９は、図８に続く作用説明図（ｄ）（ｅ）（ｆ）である。
【００１５】
この発明のモニタの着脱機構１は、図１および図２に示すようにモニタ２とモニタ支持台３とにおいて、いずれか一方に取付けプレート４が固設され、他方に係止プレート５が固設され、取付けプレート４を係止プレート５に着脱自在とすることによってモニタ２をモニタ支持台３に着脱自在に取付ける構成となっている。以下では、モニタの着脱機構１部分だけを取り出して説明するが、実際にはモニタ２とモニタ支持台３の、いずれか一方に取付けプレート４が固設され、他方に係止プレート５が固設されているものである。この実施の形態では、取付けプレート４がモニタ２に固設され、係止プレート５がモニタ支持台３に固設されている場合を示している。
【００１６】
取付けプレート４は、図３に示すように上端と下端が曲折されて立設する上部突片６と下部突片７に形成されている。この上部突片６と下部突片７は、略平行して横方向に設けられている。この上部突片６には上部係止孔８が、下部突片７には下部係止孔９が設けられている。この上部係止孔８と下部係止孔９の設ける数は任意であるが、本例では２個の場合を示している。
【００１７】
係止プレート５は、図３に示すように上端の前記取付けプレート４の上部係止孔８に対応する位置に係止爪１０が上方に突出して設けられている。この係止爪１０は、前記取付けプレート４の上部係止孔８と係合する部材なので、数は上部係止孔８と一致する数が設けられる。従って、本例では取付けプレート４の上部係止孔８が２個なので、係止爪も２個である。また、係止プレート５の下部には、図６および図８（ｂ）に示すように取付けプレート４の上部係止孔８を係止プレート５の係止爪１０に係合して支持させ回動して取付けプレート４と係止プレート５が重ね合った時（図８（ｂ）から図９（ｅ）の状態になったと時）、取付けプレート４の下部係止孔９にばね１２の弾発力で進入して取付け部材を係止するロック部材１１が進退自在に設けられている。このばね１２は、ロック部材１１を、ロック部材１１が下部係止孔に向かって進出する方向に付勢している。ロック部材１１は、下部係止孔９に対応して２個のロック爪１１が下方に突設され、このロック爪１１がロック部材１１の進退で下部係止孔９に出入する。
【００１８】
取付けプレート４と係止プレート５は略方形であって、係止プレート５は、取付けプレート４の上部係止孔８を係止プレート５の係止爪１０に係合して支持させ回動させて取付けプレート４と係止プレート５が重ね合った時に、取付けプレート４の上部突片６と下部突片７の間に略合致して嵌合する大きさ形状となっている（図４参照）。
この実施の形態では、係止プレート５の下端は、曲折されて縁片１３に形成され、ロック部材１１はその内側に進退自在に設けられているので、縁片１３には取付けプレート４と係止プレート５が重ね合った時に、取付けプレート４の下部係止孔９と対応する位置に挿通孔１４が設けられており、ロック部材１１のロック爪１１ａは、この挿通孔１４に貫入して取付けプレート４の下部係止孔９に出入するようになっている。即ち、ロック部材１１の進退でロック爪１１ａは挿通孔１４を介して取付けプレート４の下部係止孔９に出入する。
【００１９】
しかして、図８（ｂ）に示すように取付けプレート４の上部係止孔８を係止プレート５の係止爪１０に係合して支持させ回動させて、図６および図９（ｅ）のように取付けプレート４と係止プレート５が重ね合うと、ばね１２の弾発力でロック部材１１が進出してそのロック爪１１ａが挿通孔１４を介して取付けプレート４の下部係止孔９に進入して係止し、取付けプレート４をロックする。従って、取付けプレート４はモニタ２に固設され、係止プレート５はモニタ支持台３に固設されているので、モニタ２はモニタ支持台３にワンタッチで取り付けることができる。
即ち、取付けプレート４の上部係止孔８を係止プレート５の係止爪１０に係合して取付けプレート４を係止プレート５に支持させ取付けプレート４と係止プレート５が重ね合うように回動すると、ロック部材１１のロック爪１１ａはばね１２の付勢力（弾発力）で付勢されロック状態位置に進出しているため、ロック部材１１のロック爪１１ａの先端部は、取付けプレート４の下部突片７の縁片１３に当接する。それを更に取付けプレート４と係止プレート５が重ね合うように押し込むと、ロック部材１１はばね１２に付勢されて進退自在であるため、ロック部材１１は、ロック爪１１ａの先端が取付けプレート４の下部突片７の縁部に当接してばね１２の付勢力（弾発力）に抗して押し上げられ、下部突片７の面に沿って押し込まれ、遂にはロック部材１１のロック爪１１ａと取付けプレート４の下部突片７に設けた下部係止孔９が一致する位置となると、ロック部材１１はばね１２により付勢されているので、ロック爪１１ａが下部係止孔９に進入して取付けプレート４を係止プレート５にロックする。このロックを解除するには、ロック部材１１をばね１２に抗して退出移動させればよい。図４および図５がロック部材１１でのロック状態を示し、図６および図７がロック解除状態を示している。
【００２０】
前記モニタの着脱機構には、ロック部材１１を操作してロックしたり、そのロックを解除したりするロック・解除機構を設けてもよい。
【００２１】
即ち、前記ロック部材１１には、該ロック部材を進退させて取付けプレート４の下部係止孔９に、そのロックを出入（進退）させ、取付けプレート４を係止プレート５にロックしたり、そのロック解除を行うロック・解除機構１５が設けられている。
このロック・解除機構１５は、ロック部材１１にスライド部材１６が連結され、このスライド部材１６の一方向のスライドでロック部材１１が取付けプレート４の下部係止孔９に進入する方向に移動し、他方向のスライドでロック部材１１が取付けプレート４の下部係止孔９から退出する方向に移動する構成を採用している。これによりロック部材１１は、スライド部材１６の一方向（正方向）のスライドで取付けプレート４の下部係止孔９に進入する方向に移動し、そのロック爪１１ａが挿通孔１４を介して取付けプレート４の下部係止孔９に進入して係止し、取付けプレート４を係止プレート５にロックし、スライド部材１６の他方向（逆方向）のスライドで取付けプレート４の下部係止孔９から退出する方向に移動し、ロック爪１１ａでのロックを解除できる。
【００２２】
この実施の形態では、係止プレート５にロック部材１１がばね１２にロック方向（進出方向）に付勢されて進退自在に設けられており、このロック部材１１には、傾斜ガイドレール１７が、係止プレート５の下端の縁片１３と所定の間隔を保持して、縁片１３と並列して設けられている。この傾斜ガイドレール１７は一方向に傾斜して設けられており、傾斜ガイドレール１７と縁片１３との間隔は、一方側から他方側に向かって順次狭くなっている。この傾斜ガイドレール１７と縁片１３との間には、スライド部材１６が摺動自在に設けられている。ロック部材１１は、ばね１２に弾発されて進退自在であるのでスライド部材１６は、ばね１２の弾発力によって傾斜ガイドレール１７で縁片１３側に抑えられた格好で傾斜ガイドレール１７と縁片１３との間に位置する。従って、スライド部材１６をスライドさせて傾斜ガイドレール１７と縁片１３との間隔が狭くなっている方向に移動させると、その傾斜ガイドレール１７の傾斜により狭くなった分（距離）だけ、ロック部材１１はばね１２に押されて進出する。即ち、ロック部材１１はそのロック爪１１ａが取付けプレート４の下部係止孔９に進入しロックする。逆に、スライド部材１６を傾斜ガイドレール１７と縁片１３との間隔が広くなっている方向に移動させると、その傾斜ガイドレール１７の傾斜により広くなった分（距離）だけ、ロック部材１１はばね１２に抗して退出移動する。即ち、ロック部材１１は、そのロック爪１１ａが取付けプレート４の下部係止孔９から退出し、ロックを解除する。
従って、スライド部材１６の摘み１６ａを持って、スライド部材１６を左右（正逆）にスライドさせることによって、取付けプレート４を係止プレート５にロックしたり、解除したりすることができる。図４および図５がロック部材１１でのロック状態を示し、図６および図７がロック解除状態を示している。
なお、スライド部材１６は台形状とし、その台形斜面の傾斜角と、傾斜ガイドレール１７の傾斜角は、ばね１２の弾発力（ばね力）と、スライド部材１６の台形斜面の傾斜角により発生する分力と、滑り摩擦力で、どの可動範囲でも静止バランスする構成とするのが好ましい。
【００２３】
また、前記スライド部材１６には、スライド部材１６をロック部材１１がロック状態となる位置方向（前記実施の形態では傾斜ガイドレール１７と縁片１３との間隔が狭い位置方向）に付勢するばねと、ロック解除位置（前記実施の形態では、傾斜ガイドレール１７と縁片１３との間隔が広い位置）でスライド部材１６を係止し、モニタ２をモニタ支持台３から取り外すと係止が解除されるストッパ機構を設けると、モニタ２をモニタ支持台３から取り外すと、スライド部材１６は、ばねの付勢力で常にロック部材１１がロック状態の位置に戻っているので、次にモニタ２をモニタ支持台３に取り付けるのに、スライド部材１６でのロック操作が不要となり、ワンタッチで取り付けられるので好ましい。
【００２４】
ストッパ機構の一例を図１０（ａ）（ｂ）に示す。図１０（ａ）はスライド部材を係止した状態を示し、図１０（ｂ）はスライド部材の係止を解除した状態を示す。
スライド部材１６のロック解除位置には、断面倒Ｕ字状のストッパ部材１８が設けられ、このストッパ部材１８はばね性を備える。このストッパ部材１８は操作突起１８ａが係止プレート５および取付けプレート４を貫通し、図１０（ｂ）に示すように取付けプレート４から突出している。一方、スライド部材１６には、前記ストッパ部材１８の係止凹部１９に係合するストッパ爪１６ｂが設けられている。このスライド部材１６には、スライド部材１６をロック部材１１がロック状態となる位置方向に付勢するばね２０が設けられている。
従って、モニタ２が取り付けられているときは、ストッパ部材１８の操作突起１８ａがモニタ２に押されてストッパ部材１８の係止凹部１９にスライド部材１６のストッパ爪１６ａが係合しているので、ばね２０に付勢されていてもスライド部材１６は、その位置を保持する（図１０（ａ））。
この時のスライド部材１６の位置は、ロック部材１１のロックを解除した位置である。
そこで、モニタ２を取り外すと、モニタ２による操作突起１８ａへの押圧力は解除されるので、ストッパ部材１８はばね性を備えるため復元し、ストッパ部材１８の係止凹部１９とスライド部材１６のストッパ爪１６ａとの係合がはずれるので、スライド部材１６は、ばね２０の付勢力でロック部材１１がロック状態となる位置に移動される。
【００２５】
このようにモニタ２をモニタ支持台３から取り外した状態で、スライド部材１６がロック部材１１のロック状態の位置にあると、スライド部材１６でのロック操作が不要となる。これを図８および図９について説明する。
まず、図８（ａ）から（ｂ）に示すように取付けプレート４の上部係止孔８を係止プレート５の係止爪１０に係合して取付けプレート４を係止プレート５に支持させる。この状態から取付けプレート４が上部係止孔８と係止爪１０を中心に係止プレート５と重ね合わさるように回動すると、図８（ｃ）に示すようにロック部材１１のロック爪１１ａは、ロック状態位置となっているため係止プレート５の縁片１３の挿通孔１４から進出しており、ロック部材１１のロック爪１１ａは取付けプレート４の下部突片７の縁に当接する。その図８（ｃ）の状態からさらに取付けプレート４と係止プレート５が重ね合わさるように押し込むと、ロック部材１１はばね１２に付勢されて進退自在であるため、図９（ａ）に示すようにロック部材１１はロック爪１１ａの先端が、取付けプレート４の下部突片７の縁部に当接してばね１２の付勢力（弾発力）に抗して押し上げられ、下部突片７の面に沿って、面に当接しつつ押し込まれ、ついにはロック部材１１のロック爪１１ａと取付けプレート４の下部突片７に設けた下部係止孔９が一致する位置になると、ロック部材１１はばね１２により付勢されているので、図９（ｅ）および（ｆ）に示すようにロック爪１１ａが挿通孔１４を介して下部係止孔９に進入して取付けプレート４を係止プレート５にロックする。従って、スライド部材１６でのロック操作が不要となり、モニタ２がモニタ支持台３にワンタッチで取り付けられることになる。スライド部材１６の操作は、モニタ２をモニタ支持台３より取り外す際のロック解除の時だけとなる。
【００２６】
従って、ロック部材１１のロック爪１１ａの先端が、取付けプレート４の下部突片７の縁部に当接してばね１２の付勢力（弾発力）に抗して押し上げられ、下部突片７の面に沿って当接しつつ押し込まれるのを容易とするために、ロック部材１１のロック爪１１ａの先端は、図５、図７および図８（ｃ）に示すように斜面に形成しておくのが好ましい。これにより図８（ｃ）から図９（ｄ）に示すようにロック部材１１の前記動作が容易となる。
【００２７】
しかし、スライド部材１６をロック部材１１の解除位置にしておき、取付けプレート４の上部係止孔８を係止プレート５の係止爪１０に係合して取付けプレート４を係止プレート５に支持させ回動させて、取付けプレート４と係止プレート５が重ね合った後に、スライド部材１６をスライドさせ、ロック部材１１でロックを行ってもよいことは、当然である。
【００２８】
なお、図中、符号２１、２２はねじ２３および２４でねじ止めするための孔であり、これにより取付けプレート４および係止プレート５はモニタ２およびモニタ支持台３との間で固定するようにしてもよい。
【００２９】
なお、前記実施の形態は、この発明を制限するものではなく、この発明は要旨を逸脱しない範囲で種々の変更が許容される。例えば、ロック部材１１のロック・解除機構１５は、係止プレート５の下端背面に設けられているが、これはこの位置に制限されるものではなく、例えば、下端側面であってもよいし、ロック部材１１のロック・解除機構１５の構成も、前記実施の形態に制限されるものではない。また、ばね１２は圧縮ばねの例で示しているが、これは他の板ばね、線ばね等でもよい。
【図面の簡単な説明】
【００３０】
【図１】この発明の実施の形態を示す全体斜視図である。
【図２】この発明の実施の形態を示すモニタをモニタ支持台より取り外した状態の斜視図である。
【図３】この発明の実施の形態を示す着脱機構部分の分解斜視図である。
【図４】この発明の実施の形態を示す着脱機構部分のロック時の斜視図である。
【図５】図４Ａ−Ａ線断面図である。
【図６】この発明の実施の形態を示す着脱機構部分のロック解除時の斜視図である。
【図７】図６Ｂ−Ｂ線断面図である。
【図８】この発明の実施の形態を示す着脱機構の作用を作用順（ａ）（ｂ）（ｃ）に示す説明図である。
【図９】図８に続く作用説明図（ｄ）（ｅ）（ｆ）である。
【図１０】ストッパ機構の一例を示す説明平面図で、（ａ）はスライド部材を係止した状態を示し、（ｂ）はスライド部材の係止を解除した状態を示す。
【符号の説明】
【００３１】
１  モニタの着脱機構
２  モニタ
３  モニタ支持台
４  取付けプレート
５  係止プレート
６  上部突片
７  下部突片
８  上部係止孔
９  下部係止孔
１０  係止爪
１１  ロック部材
１１ａ  ロック爪
１２  ばね
１３  縁片
１４  挿通孔
１５  ロック・解除機構
１６  スライド部材
１６ｂ  ストッパ爪
１７  傾斜ガイドレール
１８  ストッパ部材
１８ａ  操作突起
１９  係止凹部
２０  ばね
【図１】
2008189227.tif 000003
【図２】
2008189227.tif 000004
【図３】
2008189227.tif 000005
【図４】
2008189227.tif 000006
【図５】
2008189227.tif 000007
【図６】
2008189227.tif 000008
【図７】
2008189227.tif 000009
【図８】
2008189227.tif 000010
【図９】
2008189227.tif 000011
【図１０】
2008189227.tif 000012
【手続補正書】
【提出日】平成19年9月5日(2007.9.5)
【手続補正１】
【補正対象書類名】明細書
【補正対象項目名】００２２
【補正方法】変更
【補正の内容】
【００２２】
この実施の形態では、係止プレート５にロック部材１１がばね１２にロック方向（進出方向）に付勢されて進退自在に設けられており、このロック部材１１には、傾斜ガイドレール１７が、係止プレート５の下端の縁片１３と所定の間隔を保持して、縁片１３と並列して設けられている。この傾斜ガイドレール１７は一方向に傾斜して設けられており、傾斜ガイドレール１７と縁片１３との間隔は、一方側から他方側に向かって順次狭くなっている。この傾斜ガイドレール１７と縁片１３との間には、スライド部材１６が摺動自在に設けられている。ロック部材１１は、ばね１２に弾発されて進退自在であるのでスライド部材１６は、ばね１２の弾発力によって傾斜ガイドレール１７で縁片１３側に抑えられた格好で傾斜ガイドレール１７と縁片１３との間に位置する。従って、スライド部材１６をスライドさせて傾斜ガイドレール１７と縁片１３との間隔が広くなっている方向に移動させると、その傾斜ガイドレール１７の傾斜により広くなった分（距離）だけ、ロック部材１１はばね１２に押されて進出する。即ち、ロック部材１１はそのロック爪１１ａが取付けプレート４の下部係止孔９に進入しロックする。逆に、スライド部材１６を傾斜ガイドレール１７と縁片１３との間隔が狭くなっている方向に移動させると、その傾斜ガイドレール１７の傾斜により狭くなった分（距離）だけ、ロック部材１１はばね１２に抗して退出移動する。即ち、ロック部材１１は、そのロック爪１１ａが取付けプレート４の下部係止孔９から退出し、ロックを解除する。
従って、スライド部材１６の摘み１６ａを持って、スライド部材１６を左右（正逆）にスライドさせることによって、取付けプレート４を係止プレート５にロックしたり、解除したりすることができる。図４および図５がロック部材１１でのロック状態を示し、図６および図７がロック解除状態を示している。
なお、スライド部材１６は台形状とし、その台形斜面の傾斜角と、傾斜ガイドレール１７の傾斜角は、ばね１２の弾発力（ばね力）と、スライド部材１６の台形斜面の傾斜角により発生する分力と、滑り摩擦力で、どの可動範囲でも静止バランスする構成とするのが好ましい。
【手続補正２】
【補正対象書類名】明細書
【補正対象項目名】００２３
【補正方法】変更
【補正の内容】
【００２３】
また、前記スライド部材１６には、スライド部材１６をロック部材１１がロック状態となる位置方向（前記実施の形態では傾斜ガイドレール１７と縁片１３との間隔が広い位置方向）に付勢するばねと、ロック解除位置（前記実施の形態では、傾斜ガイドレール１７と縁片１３との間隔が狭い位置）でスライド部材１６を係止し、モニタ２をモニタ支持台３から取り外すと係止が解除されるストッパ機構を設けると、モニタ２をモニタ支持台３から取り外すと、スライド部材１６は、ばねの付勢力で常にロック部材１１がロック状態の位置に戻っているので、次にモニタ２をモニタ支持台３に取り付けるのに、スライド部材１６でのロック操作が不要となり、ワンタッチで取り付けられるので好ましい。